(57)【要約】      （修正有）【課題】使用者が自分で必要な形状、大きさに組み立てられる屏風磁気ストライプ接続構造を提供する。【解決手段】屏風磁気ストライプ接続構造は、少なくとも２つの屏風パネル１０と複数のマグネットストライプ２０を含み、屏風パネル１０は外枠に固定され、外枠は密封蓋１１を用いて連結する４つの辺枠１２を有し、密封蓋１１と辺枠１２との結合によって外枠の左、右両側にそれぞれに外側垂直面１３が形成され、且つ屏風パネル１０を４つの辺枠１２より構成される外枠の中に嵌め込むことができ、２つの外側垂直面１３にいずれも辺枠１２に対して縦方向に凹んだ少なくとも１つの収容溝１３１を備え、収容溝１３１にマグネットストライプ２０を入れて結合することができる。【選択図】図２
0003235137.tif 000002
【実用新案登録請求の範囲】
【請求項１】
屏風磁気ストライプ接続構造であって、少なくとも２つの屏風パネルと複数のマグネットストライプを含み、
前記屏風パネルは外枠に固定され、前記外枠は密封蓋を用いて連結する４つの辺枠を有し、前記密封蓋と辺枠との結合によって前記外枠の左、右両側にそれぞれに外側垂直面が形成され、且つ前記屏風パネルを前記４つの辺枠より構成される外枠の中に嵌め込むことができ、２つの前記外側垂直面にいずれも前記辺枠に対して縦方向に凹んだ少なくとも１つの収容溝を備え、前記マグネットストライプを前記収容溝に入れ、かつ前記辺枠と結合し、前記マグネットストライプを前記収容溝の中に確実に固定させ、隣接する２つの前記屏風パネルは前記マグネットストライプの取り付けを利用し、接近後の磁気吸引状態に達することを特徴とする屏風磁気ストライプ接続構造。
【請求項２】
前記辺枠は、アルミ製の辺枠であることを特徴とする請求項１の屏風磁気ストライプ接続構造。
【請求項３】
前記辺枠は、金属製の辺枠であることを特徴とする請求項１の屏風磁気ストライプ接続構造。
【請求項４】
前記マグネットストライプは、柔らかいマグネットストライプであることを特徴とする請求項１の屏風磁気ストライプ接続構造。
【請求項５】
前記マグネットストライプは、粘着剤を用いて前記収容溝の中に粘着・固定されることを特徴とする請求項１の屏風磁気ストライプ接続構造。
【考案の詳細な説明】
【技術分野】
【０００１】
本考案は磁気引力を利用して屏風パネルの間の相互配置を実現する屏風磁気ストライプ接続構造に関する。
【背景技術】
【０００２】
家庭や職場のプライベートスペースを仕切るために、固定仕切り壁の代わりにシンプルな「屏風」がよく使われ、現在、従来の屏風（３０）のほとんどは、少なくとも２つの屏風パネル（３１）を備えて（図６を参照）、前記各屏風パネル（３１）の間には、バタフライヒンジ（３２）で上、下にピボット接続する上で、前記屏風（３０）の屏風パネル（３１）は前記ピボット接続する方法によって、任意に異なる角度に展開することができる。
【０００３】
しかしながら、前記通りの従来の構造は実用においても下記の問題点が存在する：すなわち、前記ヒンジ（３２）は、前記各屏風パネル（３１）の間を相互に接続するために使用されるため、前記屏風（３０）のサイズは、自由に拡大または縮小することが困難であり、使用時にフレキシブルではない。
【０００４】
よって、使用者のニーズに応じて、使用者自分で必要な形状、大きさを組み立てるための屏風を開発することができれば、前記組み立て完成後の屏風の境界はまた互いに固定して牽引することができ、設置時の安定度を増加させ、本発明者が改良しようとする問題点である。
【０００５】
従って、本考案者は、これを考慮し、創作の構想を考え出し、長年の経験をもって設計し、多くの議論と試行サンプルの試験、および複数の修正と改善を経て、本考案を発した
【考案の概要】
【０００６】
課題を解決するための技術手段は、以下である。
本考案は、屏風磁気ストライプ接続構造を提供し、少なくとも２つの屏風パネルと複数のマグネットストライプを含み、ここで、前記屏風パネルは外枠に固定され、前記外枠は密封蓋を用いて連結する４つの辺枠を有し、前記密封蓋と辺枠との結合によって前記外枠の左、右両側にそれぞれに外側垂直面が形成され、且つ前記屏風パネルを前記４つの辺枠より構成される外枠の中に嵌め込むことができ、前記２つの外側垂直面にいずれも前記辺枠に対して縦方向に凹んだ少なくとも１つの収容溝を備え、前記マグネットストライプは前記収容溝に入れ、かつ前記辺枠と結合し、前記マグネットストライプを前記収容溝の中に確実に固定させ、隣接する前記２つの屏風パネルは前記マグネットストライプの取り付けを利用し、接近後の磁気吸引状態に達し、それによって、屏風磁気ストライプ接続構造が得られる。
【０００７】
従来技術の効果を比較する。
【０００８】
（１）本考案は、屏風磁気ストライプ接続構造を提供し、それは前記屏風板が各種の必要な形状、大きさの配置及び組み立てを任意に出すことができる設計を利用し、前記屏風の使用がより自由に変化するフレキシビリティーを有し、使用者も組み立てる過程で、自分でＤＩＹする楽しみを得ることができる。
【０００９】
（２）本考案は、屏風磁気ストライプ接続構造を提供し、前記マグネットストライプは前記屏風板を組み立て完成した後に相互の磁気吸引が発生し、或は直接に前記辺枠に吸着し、前記磁気吸引効果を利用して、前記各屏風板を相互に牽引・定位させ、前記屏風の設置に更に安定性を形成することができる。
【００１０】
（３）本考案は、屏風磁気ストライプ接続構造を提供し、前記屏風はネジを利用してロックする必要がなく、迅速に着脱を完成でき、使用する時は相対的に便利で、かつ時間と力を節約することができる。
【図面の簡単な説明】
【００１１】
【図１】本考案の立体組合せ図である。
【図２】本考案の立体分解図である。
【図３】本考案のマグネットストライプ互いに吸着後の立体図である。
【図４】本考案のマグネットストライプ互いに吸着後の断面図である。
【図５】本考案の他の実施例を示す図面である。
【図６】従来の構造を示す図面である。
【考案を実施するための形態】
【００１２】
本考案の目的、特徴、及び効果を貴審査官によく理解及び認識させるために、以下は、図面を実施例として例を挙げ、詳しく説明する。
【００１３】
まず、図１及び図２に示すように、少なくとも２つの屏風パネル（１０）と複数のマグネットストライプ（２０）を含み、ここで、前記屏風パネル（１０）は外枠に固定され、前記外枠は密封蓋（１１）を用いて連結する４つの辺枠（１２）を有し、前記密封蓋（１１）と辺枠（１２）との結合によって前記外枠の左、右両側にそれぞれに外側垂直面（１３）が形成され、且つ前記屏風パネル（１０）を前記４つの辺枠（１２）より構成される外枠の中に嵌め込むことができ、前記２つの外側垂直面（１３）にいずれも前記辺枠（１２）に対して縦方向に凹んだ少なくとも１つの収容溝（１３１）を備え、前記マグネットストライプ（２０）は前記収容溝（１３１）に入れ、かつ前記辺枠（１２）と結合し、前記マグネットストライプ（２０）を前記収容溝（１３１）の中に確実に固定させ、隣接する前記２つの屏風パネル（１０）は前記マグネットストライプ（２０）の取り付けを利用し、接近後の磁気吸引状態に達する。
【００１４】
本考案は、屏風磁気ストライプ接続構造を提供し、ここで、前記屏風パネル（１０）はアルミ製の前記辺枠（１２）を有し、前記２つの屏風パネル（１０）は外側垂直面（１３）に設けられるマグネットストライプ（２０）で互いに吸着することができる（図３及び図４に示すように）。
【００１５】
本考案は、屏風磁気ストライプ接続構造を提供し、ここで、前記屏風パネル（１０）は金属製の前記辺枠（１２）を有し、前記２つの屏風パネル（１０）は外側垂直面（１３）に設けられるマグネットストライプ（２０）で互いに吸着することができることに加えて、前記金属製の前記辺枠（１２）でも前記マグネットストライプ（２０）の直接の吸着することを提供することができる（図５に示すように）。
【００１６】
本考案は、屏風磁気ストライプ接続構造を提供し、ここで、前記マグネットストライプ（２０）は柔らかいマグネットストライプである。
【００１７】
本考案は、屏風磁気ストライプ接続構造を提供し、ここで、前記マグネットストライプ（２０）は粘着剤（２１）を用いて前記収容溝（１３１）の中に粘着・固定される。
【００１８】
前記具体的な実施例の構造により、以下の利点を得ることができる：（１）本考案は、前記屏風板（１０）が各種の必要な形状、大きさの配置及び組み立てを任意に出すことができる設計を利用し、前記屏風の使用がより自由に変化するフレキシビリティーを有し、使用者も組み立てる過程で、自分でＤＩＹする楽しみを得ることができる；（２）前記マグネットストライプ（２０）は前記屏風板（１０）を組み立て完成した後に相互の磁気吸引が発生し、或は直接に前記辺枠（１２）に吸着し、前記磁気吸引効果を利用して、前記各屏風板（１０）を相互に牽引・定位させ、前記屏風の設置に更に安定性を形成することができる；（３）前記屏風はネジを利用してロックする必要がなく、迅速に着脱を完成でき、使用する時は相対的に便利であり、かつ時間と力を節約することができる。
【００１９】
以上は、本考案に係る実施例の一部に過ぎないため、本考案の実施範囲を制限するものではない。即ち、本実用新案登録請求の範囲内で行われる変化、修飾なども本考案の範囲に属すべきである。
【符号の説明】
【００２０】
１０、３１  屏風パネル
１１        密封蓋
１２        辺枠
１３        外側垂直面
１３１      収容溝
２０        マグネットストライプ
２１        粘着剤
３０        屏風
３２        ヒンジ
【図１】
0003235137.tif 000003
【図２】
0003235137.tif 000004
【図３】
0003235137.tif 000005
【図４】
0003235137.tif 000006
【図５】
0003235137.tif 000007
【図６】
0003235137.tif 000008